(57)【要約】【課題】既存の組立棚などにも適用でき、左右兼用で用いることができ、かつハンガーに吊り下げる衣類の収納枚数を約１．５倍に増やすことができるようにしたハンガーパイプ受け具とそれを用いた組立式衣類掛け構造を提供する。【解決手段】四角形の四隅に位置するように立設される複数の支柱と、該四角形の対向する左右の２辺に設けられ、相対向するように支柱間に横架せしめられる横架部材と、前記横架部材に夫々相対向して着脱自在に取り付けられ、ハンガーを吊り下げるためのハンガーパイプを取付けるためのハンガーパイプ取付孔が少なくとも横２列縦２行に複数個穿設されてなる少なくとも一対のハンガーパイプ受け具と、前記一対のハンガーパイプ受け具に横架される複数個のハンガーパイプと、を含むようにした。【選択図】図１
0003156271.tif 000002
【実用新案登録請求の範囲】
【請求項１】
四角形の四隅に位置するように立設される複数の支柱と、該四角形の対向する左右の２辺に設けられ、相対向するように支柱間に横架せしめられる横架部材と、前記横架部材にそれぞれ相対向して着脱自在に取り付けられ、ハンガーを吊り下げるためのハンガーパイプを挿入するためのハンガーパイプ取付孔が少なくとも横２列縦２行に複数個穿設されてなる少なくとも一対のハンガーパイプ受け具と、前記一対のハンガーパイプ受け具に横架される複数個のハンガーパイプと、を含み、前記ハンガーパイプ受け具の該複数個のハンガーパイプ取付孔のうち、対角線に位置するハンガーパイプ取付孔に少なくとも二本のハンガーパイプを取付けることで、ハンガーパイプを段違いに掛架しうるようにしたことを特徴とする組立式衣類掛け構造。
【請求項２】
格子状線条部材と該格子状線条部材を囲繞して設けられた四角状フレーム部材と該四角状フレーム部材の四隅に円筒状支柱受け部とを有する少なくとも一つの網棚板を設け、前記網棚板の前記円筒状支柱受け部に前記支柱を挿入係止せしめることにより、該四角状フレーム部材の左右の２辺を前記横架部材としてなることを特徴とする請求項１記載の組立式衣類掛け構造。
【請求項３】
直線状フレーム部材と該直線状フレーム部材の両端に円筒状支柱受け部とを有する少なくとも一つの連結部材を設け、前記連結部材の前記円筒状支柱受け部に前記支柱を挿入係止せしめることにより、前記連結部材を前記横架部材としてなることを特徴とする請求項１又は２記載の組立式衣類掛け構造。
【請求項４】
前記組立式衣類掛け構造を取り出し部が形成された不織布のカバー部材で覆うことにより、略直方形状とし、前記支柱の上部にカーテンパイプを横架せしめ、複数枚の不織布カーテンをカーテンパイプに摺動自在に取り付けてなることを特徴とする請求項１〜３いずれか１項記載の組立式衣類掛け構造。
【請求項５】
前記支柱の下端部にキャスター部材が取り付けられてなることを特徴とする請求項１〜４いずれか１項記載の組立式衣類掛け構造。
【請求項６】
請求項１〜５記載の組立式衣類掛け構造に用いられるハンガーパイプ受け具であり、平板状ベース部材と、前記平板状ベース部材に開穿され、ハンガーを吊り下げるためのハンガーパイプを取付けるため少なくとも横２列縦２行に複数個設けられたハンガーパイプ取付孔と、前記平板状ベース部材の上部に設けられ、前記横架部材に着脱自在に取付けるための取付部と、を含むことを特徴とするハンガーパイプ受け具。
【請求項７】
前記取付部が、フック状とされてなることを特徴とする請求項６記載のハンガーパイプ受け具。
【考案の詳細な説明】
【技術分野】
【０００１】
本考案は、洋服などの衣類を掛けたハンガーを吊り下げるための組立式衣類掛け構造及びそれに用いられるハンガーパイプ受け具に関する。
【背景技術】
【０００２】
従来、特に家庭や店頭・店内等で衣類類を掛けたハンガーを吊り下げるための組立式衣類掛け構造として、金属製のパイプを組み立ててハンガー構造とし、該ハンガー構造を不織布のカバー材で覆った組立式のハンガー構造が知られている。
【０００３】
そして、簡単かつコストのかからない構造で、クローゼットが占める専有面積を変えることなく、ハンガーに吊り下げる衣類の収納枚数を約１．５倍に増やすことができるようにしたハンガーパイプ結合具及びそれを用いた組立式クローゼットを本出願人は既に提供し、好評を得ている（特許文献１）。
【０００４】
しかし、特許文献１のハンガーパイプ結合具は、該ハンガーパイプ結合具にパイプを組み付ける構造のため、既存の組立棚などには適用できないという問題があった。
【先行技術文献】
【特許文献】
【０００５】
【特許文献１】実用新案登録第３１４７５７６号公報
【特許文献２】実用新案登録第３１０３２７９号公報
【考案の開示】
【考案が解決しようとする課題】
【０００６】
本考案は、上記問題点に鑑みてなされたものであり、既存の組立棚などにも適用でき、左右兼用で用いることができ、かつハンガーに吊り下げる衣類の収納枚数を約１．５倍に増やすことができるようにしたハンガーパイプ受け具とそれを用いた組立式衣類掛け構造を提供することを目的とする。
【課題を解決するための手段】
【０００７】
上記課題を解決するために、本考案の組立式衣類掛け構造は、四角形の四隅に位置するように立設される複数の支柱と、該四角形の対向する左右の２辺に設けられ、相対向するように支柱間に横架せしめられる横架部材と、前記横架部材に夫々相対向して着脱自在に取り付けられ、ハンガーを吊り下げるためのハンガーパイプを取付けるためのハンガーパイプ取付孔が少なくとも横２列縦２行に複数個穿設されてなる少なくとも一対のハンガーパイプ受け具と、前記一対のハンガーパイプ受け具に横架される複数個のハンガーパイプと、を含み、前記ハンガーパイプ受け具の該複数個のハンガーパイプ取付孔のうち、対角線に位置するハンガーパイプ取付孔に少なくとも二本のハンガーパイプを取付けることで、ハンガーパイプを段違いに掛架しうるようにしたことを特徴とする。
【０００８】
また、格子状線条部材と該格子状線条部材を囲繞して設けられた四角状フレーム部材と該四角状フレーム部材の四隅に円筒状支柱受け部とを有する少なくとも一つの網棚板を設け、前記網棚板の前記円筒状支柱受け部に前記支柱を挿入係止せしめることにより、該四角状フレーム部材の左右の２辺を前記横架部材としてなるように構成するのが好適である。
【０００９】
前記網棚板の例としては、例えば特許文献２に記載されている。すなわち、前記ハンガーパイプ受け具は着脱自在に構成されているため、既存の組立棚、例えばメタルラックやワイヤーシェルフなどと呼ばれる金属製の組立棚などにも適用できる。
【００１０】
なお、網棚板を支柱の適宜位置に係止せしめるには、例えば特許文献２に記載されている内周面に係合凸条を有し且つ外周面が下方に拡径された一組の短尺半円筒体からなる棚板支持用嵌着体を用いればよい。
【００１１】
前記ハンガーパイプ受け具としては、同一のものを左右の横架部材のいずれにも使用できるので、製造コストも安く済むし、組立も容易となるというメリットがある。
【００１２】
さらに、直線状フレーム部材と該直線状フレーム部材の両端に円筒状支柱受け部とを有する少なくとも一つの連結部材を設け、前記連結部材の前記円筒状支柱受け部に前記支柱を挿入係止せしめることにより、前記連結部材を前記横架部材としてなるように構成してもよい。
【００１３】
前記連結部材は、前記網棚板とともに用いてもよいし、前記連結部材を用いるだけでもよいが、前記網棚板とともに用いる方が、前記網棚板の上に物が置けるという利点がある。
【００１４】
また、前記組立式衣類掛け構造を取り出し部が形成された不織布のカバー部材で覆うことにより、略直方形状とし、前記支柱の上部にカーテンパイプを横架せしめ、複数枚の不織布カーテンをカーテンパイプに摺動自在に取付けてなるように構成するのが好ましい。不織布のカバー部材で覆うことで、埃から洋服などを防護することができるからである。
【００１５】
さらに、前記支柱の下端部にキャスター部材を取り付けるようにすれば、移動自在となるのでさらに好ましい。
【００１６】
本考案のハンガーパイプ受け具は、前記した組立式衣類掛け構造に用いられるハンガーパイプ受け具であり、平板状ベース部材と、前記平板状ベース部材に開穿され、ハンガーを吊り下げるためのハンガーパイプを取付けるため少なくとも横２列縦２行に複数個設けられたハンガーパイプ取付孔と、前記平板状ベース部材の上部に設けられ、前記横架部材に着脱自在に取り付けるための取付部と、を含むことを特徴とする。
【００１７】
前記ハンガーパイプ受け具は着脱自在に構成されているため、既存の組立棚、例えばメタルラックやワイヤーシェルフなどと呼ばれる金属製の組立棚などにも適用できる。例えば特許文献２に記載されている金属製の組立棚などにも適用可能である。
【００１８】
前記取付部としては、フック状であるのが好ましい。フック状とすれば、容易に着脱が可能であるからである。
【００１９】
なお、本考案のハンガーパイプ受け具の大きさは、組立式衣類掛けに用いることのできる大きさであればよく、特に限定されないが、例えば、平板状ベース部材の１辺の長さが１０ｃｍ〜１５ｃｍ程度のものが好適に使用できる。
【考案の効果】
【００２０】
本考案によれば、既存の組立棚などにも適用でき、左右兼用で用いることができ、かつハンガーに吊り下げる衣類の収納枚数を約１．５倍に増やすことができるようにしたハンガーパイプ受け具とそれを用いた組立式衣類掛け構造を提供することができる。
【考案を実施するための形態】
【００２１】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【図面の簡単な説明】
【００２２】
【図１】本考案の組立式衣類掛け構造の一つの実施の形態を示す斜視図である。
【図２】図１の組立式衣類掛け構造の組立て状態を示す斜視説明図であって、（ａ）は連結部材を取付けているところ、（ｂ）は本考案のハンガーパイプ受け具を取付けているところ、（ｃ）はもう一つの網棚板を取付けているところ、（ｄ）はもう一つのハンガーパイプ受け具を取付けているところを示す。
【図３】本考案のハンガーパイプ受け具を示す拡大斜視図である。
【図４】本考案の組立式衣類掛け構造の別の実施の形態の組立て状態を示す斜視説明図であって、（ａ）はカーテンパイプを取付けているところ、（ｂ）は不織布カーテンを取付けているところ、（ｃ）は組立てた状態を示す。
【００２３】
図において、符号１０は本考案の組立式衣類掛け構造を示す。図１によく示される如く、組立式衣類掛け構造１０は、四角形の四隅に位置するように立設される複数の支柱１２ａ，１２ｂ，１２ｃ，１２ｄと、該四角形の対向する左右の２辺に設けられ、相対向するように支柱１２ａ，１２ｂ及び支柱１２ｃ，１２ｄ間に横架せしめられる横架部材１４ａ，１４ｂ，１５ａ，１５ｂと、前記横架部材１４ａ，１４ｂ，１５ａ，１５ｂに夫々相対向して着脱自在に取り付けられ、ハンガーを吊り下げるためのハンガーパイプ１６ａ，１６ｂ，１８ａ，１８ｂを取付けるためのハンガーパイプ取付孔２０ａ，２０ｂ，２０ｃ，２０ｄが少なくとも横２列縦２行に複数個穿設されてなる一対のハンガーパイプ受け具２２ａ，２２ｂ及び一対のハンガーパイプ受け具２２ｃ，２２ｄと、前記一対のハンガーパイプ受け具２２ａ，２２ｂ及び一対のハンガーパイプ受け具２２ｃ，２２ｄに夫々横架されるハンガーパイプ１６ａ，１６ｂ及びハンガーパイプ１８ａ，１８ｂと、を含む構成とされている。
【００２４】
そして、前記ハンガーパイプ受け具２２ａ，２２ｂ，２２ｃ，２２ｄの該複数個のハンガーパイプ取付孔２０ａ，２０ｂ，２０ｃ，２０ｄのうち、対角線に位置するハンガーパイプ取付孔（図示の例では、ハンガーパイプ受け具２２ａのハンガーパイプ取付孔２０ａ，２０ｄ並びにハンガーパイプ受け具２２ｂのハンガーパイプ取付孔２０ｂ，２０ｃ）に少なくとも二本のハンガーパイプ１６ａ，１６ｂ及びハンガーパイプ１８ａ，１８ｂを取付けることで、ハンガーパイプ１６ａ，１６ｂ，１８ａ，１８ｂが段違いに掛架されている。
【００２５】
より詳細には、格子状線条部材２４と該格子状線条部材２４を囲繞して設けられた四角状フレーム部材２６と該四角状フレーム部材２６の四隅に円筒状支柱受け部２８ａ，２８ｂ，２８ｃ，２８ｄとを有する少なくとも一つの網棚板３０ａ，３０ｂを設け、前記網棚板３０ａ，３０ｂの前記円筒状支柱受け部２８ａ，２８ｂ，２８ｃ，２８ｄに前記支柱１２ａ，１２ｂ，１２ｃ，１２ｄを挿入係止せしめることにより、該四角状フレーム部材２６の左右の２辺である側面部３２ａ，３２ｂが前記横架部材１５ａ，１５ｂとなるように構成されている。
【００２６】
図示例では、網棚板３０ｂは支柱１２ａ，１２ｂ，１２ｃ，１２ｄの下部に位置しているため、ハンガーパイプ受け具は取付けられていないが、網棚板は、支柱のいずれの位置にも係止可能であるため、網棚板３０ｂをより上方に位置させてハンガーパイプ受け具を取付けることももちろん可能である。
【００２７】
なお、網棚板を支柱の適宜位置に係止せしめるには、例えば特許文献２に記載されている内周面に係合凸条を有し且つ外周面が下方に拡径された一組の短尺半円筒体からなる棚板支持用嵌着体を用いればよい。支柱１２ａ，１２ｂ，１２ｃ，１２ｄは、夫々上部支柱と下部支柱を螺合して連結してなる支柱である。
【００２８】
また、図示例では、さらに、直線状フレーム部材３４ａ，３４ｂと該直線状フレーム部材３４ａ，３４ｂの両端に円筒状支柱受け部３６ａ，３６ｂ，３６ｃ，３６ｄとを有する少なくとも一つの連結部材３８ａ，３８ｂを設け、前記連結部材３８ａ，３８ｂの前記円筒状支柱受け部３６ａ，３６ｂ，３６ｃ，３６ｄに支柱１２ａ，１２ｂ，１２ｃ，１２ｄを挿入係止せしめることにより、連結部材３８ａ，３８ｂを横架部材１４ａ，１４ｂとしてなるように構成されている。
【００２９】
さらに、支柱１２ａ，１２ｂ，１２ｃ，１２ｄの下端部にはキャスター部材４０ａ，４０ｂ，４０ｃ，４０ｄが取付けられている。
【００３０】
次に、図２に基づいて、組立式衣類掛け構造１０の組立て方を説明する。
【００３１】
支柱１２ａ，１２ｂ，１２ｃ，１２ｄの下端部にキャスター部材４０ａ，４０ｂ，４０ｃ，４０ｄを取付け、網棚板３０ｂの円筒状支柱受け部２８ａ，２８ｂ，２８ｃ，２８ｄに支柱１２ａ，１２ｂ，１２ｃ，１２ｄを棚板支持用嵌着体４２ａ，４２ｂ，４２ｃ，４２ｄを用いて挿入係止せしめる。
【００３２】
そして、同様にして、連結部材３８ａ，３８ｂの円筒状支柱受け部３６ａ，３６ｂ，３６ｃ，３６ｄに支柱１２ａ，１２ｂ，１２ｃ，１２ｄを棚板支持用嵌着体４２ａ，４２ｂ，４２ｃ，４２ｄを用いて挿入係止せしめ、横架部材１４ａ，１４ｂとする（図２（ａ））。
【００３３】
次に、図２（ｂ）によく示される如く、ハンガーパイプ受け具２２ａ，２２ｂのフック状の取付部４４ａ，４４ｂにより、前記横架部材１４ａ，１４ｂの夫々に着脱自在に取付ける。
【００３４】
本考案のハンガーパイプ受け具２２ａ，２２ｂとしては、図３によく示される如く、平板状ベース部材４６と、前記平板状ベース部材４６に開穿され、ハンガーを吊り下げるためのハンガーパイプ１６ａ，１６ｂを取付けるため少なくとも横２列縦２行に複数個設けられたハンガーパイプ取付孔２０ａ，２０ｂ，２０ｃ，２０ｄと、前記平板状ベース部材４６の上部に設けられ、前記横架部材１４ａ，１４ｂに着脱自在に取付けるための取付部４４ａ，４４ｂと、を含む構成とされている。図示例では、取付部４４ａ，４４ｂとして、フック状とした例を示したが、横架部材に着脱自在となるように構成すればよいもので、フック状以外の種々の構造であってもよい。
【００３５】
そして、図２（ｃ）によく示される如く、前記ハンガーパイプ受け具２２ａ，２２ｂの該複数個のハンガーパイプ取付孔２０ａ，２０ｂ，２０ｃ，２０ｄのうち、対角線に位置するハンガーパイプ取付孔（図示の例では、ハンガーパイプ受け具２２ａのハンガーパイプ取付孔２０ａ，２０ｄ並びにハンガーパイプ受け具２２ｂのハンガーパイプ取付孔２０ｂ，２０ｃ）に螺子部材Ｓを用いて少なくとも二本のハンガーパイプ１６ａ，１６ｂを取付ける。ハンガーパイプ１６ａ，１６ｂの両端部内周面には、螺子溝が螺刻されており、これにより、二本のハンガーパイプ１６ａ，１６ｂがハンガーパイプ取付孔２０ａ，２０ｂ，２０ｃ，２０ｄに螺子部材Ｓよって取付けられる。
【００３６】
また、図２（ｃ）によく示される如く、網棚板３０ａの円筒状支柱受け部２８ａ，２８ｂ，２８ｃ，２８ｄに支柱１２ａ，１２ｂ，１２ｃ，１２ｄを棚板支持用嵌着体４２ａ，４２ｂ，４２ｃ，４２ｄを用いて挿入係止せしめる。
【００３７】
網棚板３０ａの四角状フレーム部材２６の左右の２辺である側面部３２ａ，３２ｂは、横架部材１５ａ，１５ｂとなるので、該横架部材１５ａ，１５ｂにハンガーパイプ受け具２２ａ，２２ｂをフック状の取付部４４ａ，４４ｂによって着脱自在に取付ける。
【００３８】
この網棚板３０ａに取付けたハンガーパイプ受け具２２ａ，２２ｂに該複数個のハンガーパイプ取付孔２０ａ，２０ｂ，２０ｃ，２０ｄのうち、対角線に位置するハンガーパイプ取付孔（図示の例では、ハンガーパイプ受け具２２ａのハンガーパイプ取付孔２０ａ，２０ｄ並びにハンガーパイプ受け具２２ｂのハンガーパイプ取付孔２０ｂ，２０ｃ）に少なくとも二本のハンガーパイプ１８ａ，１８ｂを取付けると、図１に示す組立式衣類掛け構造１０となる。
【００３９】
次に、図４に基づいて、本考案の組立式衣類掛け構造の別の実施の形態の組立て方を説明する。
【００４０】
図４（ａ）に示すように、図１に示した組立式衣類掛け構造１０の網棚板３０ａに、カーテンパイプ４８を取付けて、支柱１２ａ，１２ｂ，１２ｃ，１２ｄの上部にカーテンパイプ４８が横架されるようにする。
【００４１】
そして、図４（ｂ）に示すように、複数枚の不織布カーテン５０ａ，５０ｂの孔部５６にカーテンパイプ４８を通すことで不織布カーテン５０ａ，５０ｂを前記カーテンパイプ４８に摺動自在に取付ける。不織布カーテン５０ａ，５０ｂは紐部材５８で支柱１２ａ，１２ｂに夫々とりつける。
【００４２】
さらに、前記不織布カーテン５０ａ，５０ｂを取付けた組立式衣類掛け構造１０を、取り出し部５２が形成された不織布のカバー部材５４で覆うことにより、略直方形状とする。このようにして、本考案の組立式衣類掛け構造の別の実施の形態が組立てられる。
【産業上の利用可能性】
【００４３】
以上のように、本考案のハンガーパイプ受け具によれば、既存の組立棚、例えばメタルラックやワイヤーシェルフなどと呼ばれる金属製の組立棚などにも適用でき、左右兼用で用いることができ、かつハンガーに吊り下げる衣類の収納枚数を約１．５倍に増やすことができる。そして、本考案のハンガーパイプ受け具を用いた組立式衣類掛け構造は、簡単かつコストのかからない構造で、衣類掛けが占める専有面積を変えることなく、ハンガーに吊り下げる衣類の収納枚数を約１．５倍に増やすことができる。
【符号の説明】
【００４４】
１０：本考案の組立式衣類掛け構造、１２ａ，１２ｂ，１２ｃ，１２ｄ：支柱、１４ａ，１４ｂ，１５ａ，１５ｂ：横架部材、１６ａ，１６ｂ，１８ａ，１８ｂ：ハンガーパイプ、２０ａ，２０ｂ，２０ｃ，２０ｄ：ハンガーパイプ取付孔、２２ａ，２２ｂ，２２ｃ，２２ｄ：ハンガーパイプ受け具、２４：格子状線条部材、２６：四角状フレーム部材、２８ａ，２８ｂ，２８ｃ，２８ｄ，３６ａ，３６ｂ，３６ｃ，３６ｄ：円筒状支柱受け部、３０ａ，３０ｂ：網棚板、３２ａ，３２ｂ：側面部、３４ａ，３４ｂ：直線状フレーム部材、３８ａ，３８ｂ：連結部材、４０ａ，４０ｂ，４０ｃ，４０ｄ：キャスター部材、４２ａ，４２ｂ，４２ｃ，４２ｄ：棚板支持用嵌着体、４４ａ，４４ｂ：取付部、４６：平板状ベース部材、４８：カーテンパイプ、５０ａ，５０ｂ：不織布カーテン、５２：取り出し部、５４：カバー部材、５６：孔部、５８：紐部材、Ｓ：螺子部材。
【図１】
0003156271.tif 000003
【図２】
0003156271.tif 000004
【図３】
0003156271.tif 000005
【図４】
0003156271.tif 000006
【手続補正書】
【提出日】平成21年10月15日(2009.10.15)
【手続補正１】
【補正対象書類名】実用新案登録請求の範囲
【補正対象項目名】請求項６
【補正方法】変更
【補正の内容】
【請求項６】
請求項１〜５いずれか１項に記載の組立式衣類掛け構造に用いられるハンガーパイプ受け具であり、平板状ベース部材と、前記平板状ベース部材に開穿され、ハンガーを吊り下げるためのハンガーパイプを取付けるため少なくとも横２列縦２行に複数個設けられたハンガーパイプ取付孔と、前記平板状ベース部材の上部に設けられ、前記横架部材に着脱自在に取付けるための取付部と、を含むことを特徴とするハンガーパイプ受け具。